(57)【特許請求の範囲】
【請求項１】
本体に対し撮影光軸前方に繰り出され後方に沈胴する移動筒組立体と、
前記移動筒組立体内に配置され、該移動筒組立体が前方に繰り出されるときに該移動筒組立体に対しさらに前方に繰り出され、該移動筒組立体が後方に沈胴するときに該移動筒組立体に対し沈胴する、撮影レンズを支持する沈胴筒組立体と、
前記沈胴筒組立体内の、前記撮影レンズの前面に配置された、該撮影レンズ前面を開閉自在に覆うレンズカバーとを備えたカメラであって、
前記沈胴筒組立体が、前記レンズカバーの開閉を担うレンズカバー開閉部材、および、撮影光軸の周りに回転しながら繰り出し及び沈胴を行なう移動筒を備え、
前記移動筒組立体が、前記沈胴筒組立体の繰り出しに伴って前記レンズカバーが開き該沈胴筒組立体の沈胴に伴って前記レンズカバーが閉じるように前記レンズカバー開閉部材に作用するレンズカバー開閉作用部材、および、該移動筒内に、該移動筒の繰出し、沈胴に伴って、該沈胴筒組立体を回転を伴わずに直進的に繰出し、沈胴させるための、該レンズカバー開閉作用部材を兼ねた直進キーリングを備え、
前記レンズカバー開閉部材が、撮影光軸の周りで回動するものであり、
前記直進キーリングが、前記レンズカバー開閉部材の回動位置を、前記沈胴筒組立体の繰出し時と沈胴時とでそれぞれ異なる位置に規制するものであることを特徴とするカメラ。
【請求項２】
前記直進キーリングが、該レンズカバー開閉部材の回動位置を規制する、前記レンズカバー開閉部材との係合位置が円周方向に二段に形成されるとともにそれら二段の途中がテーパで結ばれた撮影光軸方向に延びる溝形状を有するものであることを特徴とする請求項１記載のカメラ。
【発明の詳細な説明】
【０００１】
【発明の属する技術分野】
本発明は、光軸方向に繰り出される移動筒と、その移動筒に対しさらに前方に繰り出される沈胴筒とを備え、その沈胴筒の繰出しおよび沈胴に伴って、レンズカバーが自動開閉されるカメラに関する。
【０００２】
【従来の技術】
２段沈胴構造を有するズームレンズを内蔵し、そのズームレンズの繰出動作、沈胴動作に応動して、レンズ前面に配置したレンズカバーを自動開閉するカメラは数多く製品化されている。このような、繰出、沈胴動作に応動してレンズカバーを開閉するカメラの一例が特開平７−４９５１５号公報に提案されている。
この特開平７−４９５１５号公報に提案されたカメラは、レンズ鏡胴内に、開き方向にバネ付勢されたレンズカバーと、そのレンズカバーの開閉を担うレンズカバー開閉部材を備えており、カメラ本体内に、レンズ鏡胴の繰出時にレンズカバーが開きレンズ鏡胴の沈胴時にレンズカバーが閉じるようにレンズカバー開閉部材に作用するレンズカバー開閉作用部材が備えられている。レンズ鏡胴が沈胴収納された状態では、レンズカバー開閉部材とレンズカバー開閉作用部材が係合し、レンズカバーはバネに抗して閉じられている。一方、レンズ鏡胴が繰り出されると、そのレンズカバー開閉部材とレンズカバー開閉作用部材との係合が外され、バネに抗する力が解除されレンズカバーが開く。
【０００３】
【発明が解決しようとする課題】
通常、２段沈胴式レンズ鏡胴は精度維持上および高密構造上円筒型をしており、一方画面サイズは矩形型をしている。このような条件下で、上記特開平７−４９５１５号公報に提案された構造のカメラを構成すると、カメラ本体内におけるレンズカメラ開閉作用部材の配置位置、および、レンズ鏡胴内におけるレンズカメラ開閉部材の配置位置に制約が生じ、カメラの設計の自由度が制限されるという問題がある。
本発明は、上記事情に鑑み、設計の自由度の広いカメラを提供することを目的とする。
【０００４】
【課題を解決するための手段】
上記目的を達成する本発明のカメラは、本体に対し撮影光軸前方に繰り出され後方に沈胴する移動筒組立体と、上記移動筒組立体内に配置され、その移動筒組立体が前方に繰り出されるときにその移動筒組立体に対しさらに前方に繰り出され、その移動筒組立体が後方に沈胴するときにその移動筒組立体に対し沈胴する、撮影レンズを支持する沈胴筒組立体と、上記沈胴筒組立体内の、上記撮影レンズの前面に配置された、その撮影レンズ前面を開閉自在に覆うレンズカバーとを備えたカメラであって、
上記沈胴筒組立体が、上記レンズカバーの開閉を担うレンズカバー開閉部材を備え、
上記移動筒組立体が、上記沈胴筒組立体の繰り出しに伴って上記レンズカバーが開き上記沈胴筒組立体の沈胴に伴って上記レンズカバーが閉じるように上記レンズカバー開閉部材に作用するレンズカバー開閉作用部材を備えたことを特徴とする。
【０００５】
ここで、「移動筒組立体」は、移動筒と、その移動筒に対し光軸方向の移動が規制されており、その移動筒の繰り出し、沈胴に伴ってその移動筒と一緒に光軸方向に移動する各種部材とを含む用語である。また、これと同様に、「沈胴筒組立体」も、沈胴筒と、その沈胴筒に対し光軸方向の移動が規制されており、その沈胴筒の繰り出し、沈胴に伴ってその沈胴筒と一緒に光軸方向に移動する各種部材とを含む用語である。ただし、撮影レンズ及びレンズカバーも、沈胴筒の繰出し、沈胴に伴って光軸方向に移動する部材ではあるが、ここでは、これらは、沈胴筒組立体とは別の部材として観念されている。
【０００６】
本発明のカメラでは、レンズカバー開閉作用部材は、本体ではなく移動筒組立体に備えられており、本体にレンズカバー開閉作用部材を配置する必要がない。従って、本体に配置される部品の配置位置の自由度が広がり、カメラの設計の自由度が広がる。
ここで、本発明のカメラは、上記レンズカバー開閉部材と上記レンズカバー開閉作用部材が、上記移動筒組立体および上記沈胴筒組立体の沈胴位置、繰出し位置、およびこれら沈胴位置と繰出し位置との間における途中位置の全位置において常時係合状態を維持してなることが好ましい。
レンズカバー開閉部材と上記レンズカバー開閉作用部材が係合状態を常時維持している場合、係合が外れる場合が存在する場合と比べレンズカバーをより安定的に確実に開閉させることができる。
【０００７】
また、本発明のカメラは、上記移動筒組立体が、撮影光軸の周りに回転しながら繰り出し及び沈胴を行なう移動筒を備えるとともに、その移動筒組立体が、移動筒内に、その移動筒の繰出し、沈胴に伴って、上記沈胴筒組立体を回転を伴わずに直進的に繰出し、沈胴させるための直進キーリングを備え、その直進キーリングが、上記レンズカバー開閉作用部材を兼ねたものであることが好ましく、この場合、上記レンズカバー開閉部材が、撮影光軸の周りで回動するものであり、上記直進キーリングが、上記レンズカバー開閉部材と係合して、そのレンズカバー開閉部材の回動位置を、上記沈胴筒組立体の繰出し時と沈胴時とでそれぞれ異なる位置に規制する、上記レンズカバー開閉部材との係合位置が円周方向に二段に形成されるとともにそれら二段の途中がテーパで結ばれた撮影光軸方向に延びる溝形状を有するものであることが好ましい。
直進キーリングにレンズカバー開閉作用部材を兼ねさせると、レンズカバー開閉作用部材を配置するための専用のスペースは不要であり、レンズカバー開閉部材に作用する専用の部材を用意する必要もない。従って、カメラの省スペース化、低コスト化が図られる。直進キーリングにレンズカバー開閉作用部材を兼ねさせるにあたっては、上述のように、レンズカバー開閉作用部材を撮影光軸の周りで回動するように構成し、直進キーリングに二段の途中がテーパで結ばれた溝形状を設けた構造を採用することができる。
【０００８】
【発明の実施の形態】
以下、本発明の実施形態について説明する。
図１は、本発明の第１実施形態のカメラを示す正面図、図２は、そのカメラのレンズ鏡胴を構成する移動筒および直進沈胴筒が沈胴状態にあるときの、そのレンズ鏡胴の光軸方向の縦断面図、図３は、そのレンズ鏡胴の要部を示す斜視図である。この図３において、レンズカバー開閉ベース、および直進キーリングは、いずれも破断されてその一部のみが示されている。
【０００９】
図１に示すように、このカメラ５０は、シャッタボタン５１等を有するカメラ本体５２を備えており、そのカメラ本体５２前面にはレンズ鏡胴５４が取り付けられている。このカメラ本体５２には、レンズ繰出し、沈胴駆動用の電動モータ５３が内蔵されている。
レンズ鏡胴５４は、主な構成要素として、図２に示すように、直進沈胴筒１０、移動筒８、および固定カム筒１１等を備えている。固定カム筒１１はカメラ本体５２（図１参照）に取り付け固定されており、この固定カム筒１１の内壁面には、移動筒８のカムピン８ｂが入り込むヘリコイド形状のカム溝１１ａと、後述する直進キーリング９の直進キー９ｇが入り込むキー溝１１ｂとが形成されている。また、このレンズ鏡胴５４は鏡胴カバー１５で覆われた沈胴駆動リング１２を備えている。この沈胴駆動リング１２は、固定カム筒１１の外壁を取り巻く位置に、光軸方向に移動せず、光軸を中心として回転自在に取り付けられている。この沈胴駆動リング１２の後端外周部には、カメラ本体５２内部に配置された電動モータ５３（図１参照）の駆動力が伝達される駆動ギア１２ａが形成されており、その電動モータ５３の駆動力が沈胴駆動リング１２の駆動ギア１２ａに伝達されると、その沈胴駆動リング１２は光軸を中心として回転する。また、この沈胴駆動リング１２の内壁面には、光軸方向に延びる、移動筒８を光軸回りに回転させるための駆動溝１２ｂが形成されている。移動筒８は固定カム筒１１内に配置されており、その移動筒８の後部外壁には、沈胴駆動リング１２の駆動溝１２ｂに入り込む連結ピン８ａと、固定カム筒１１のカム溝１１ａに入り込むカムピン８ｂとが設けられている。従って、電動モータ５３の駆動力が沈胴駆動リング１２の駆動ギア１２ａに伝達されてその沈胴駆動リング１２が光軸を中心として回転すると、移動筒８の連結ピン８ａが沈胴駆動リング１２の駆動溝１２ｂに入り込んでいることからその連結ピン８ａを介して移動筒８も光軸を中心として回転する。ここで、その移動筒８のカムピン８ｂが固定カム筒１１のカム溝１１ａに入り込んでいることから、その移動筒８は、そのカム溝１１ａに案内されて撮影光軸のまわりに回転しながら光軸方向に移動する。ここでは、電動モータ５３が正回転すると移動筒８は光軸方向前方に繰り出され、電動モータ５３が逆回転すると、その移動筒８は光軸方向後方に沈胴する。また、移動筒８の内壁面にはヘリコイド形状のカム溝８ｃが形成されている。さらに、移動筒８は、その内部に直進キーリング９を備えている。その直進キーリング９は、その後端に設けられた直進キー９ｇが固定カム筒１１のキー溝１１ｂに入り込んでいることから回り止めされており、移動筒８の繰出し、沈胴に伴って、回転を伴わずに直進的に繰出し、沈胴を行う。また、この直進キーリング９内には、レンズシャッター組１３が内蔵された直進沈胴筒１０が、その直進キーリング９に対し回り止めされた状態に配置されており、さらに、この直進沈胴筒１０の後端外周部には、直進キーリング９を貫通して移動筒８のカム溝８ｃに入り込むカムピン１０ａが設けられている。従って、この直進沈胴筒１０は、移動筒８が前方に繰り出されるときにその移動筒８に対しさらに前方に繰り出され、移動筒８が後方に沈胴するときにその移動筒８に対し沈胴する。図１〜図３には、移動筒８および直進沈胴筒１０が、双方とも固定カム筒１１内に沈胴した状態で示されている。
【００１０】
この直進沈胴筒１０の前端部には、中央に開口部１４ａを有する飾銘板１４が取り付けられている。また、その直進沈胴筒１０内の、レンズシャッター組１３の前半分を取り巻く位置には、レンズカバー開閉ベース４が固定されている。このレンズカバー開閉ベース４には、図３に示すように、レンズカバー開閉リング３を光軸を中心として回動自在に支持する３つの回動支軸４ｆが設けられている。また、レンズカバー開閉ベース４には３つのバネかけピン４ｃ，４ｄ，４ｅが植設されている。これら３つのバネかけピン４ｃ，４ｄ，４ｅのうちのバネかけピン４ｃと、レンズカバー開閉リング３のバネかけ部３ｅとの間には駆動バネ５がかけられており、この駆動バネ５により、レンズカバー開閉リング３は矢印Ａ方向にバネ付勢されている。また、直進沈胴筒１０内のレンズシャッター組１３（図２参照）前面には、そのレンズシャッター組１３前面を開閉自在に覆うレンズカバー１，２が配置されている。これらレンズカバー１，２の回動軸穴１ａ，２ａは、それぞれレンズカバー開閉ベース４に植設されているレンズカバー支軸４ａ，４ｂに軸支されており、レンズカバー１，２の作用ピン１ｂ，２ｂは、それぞれレンズカバー開閉リング３の規制穴３ａ，３ｂに貫通している。尚、この図３では、レンズカバー１，２を、レンズカバー支軸４ａ，４ｂからはずして示してある。これら作用ピン１ｂ，２ｂそれぞれと、レンズカバー開閉ベース４に植設されたバネかけピン４ｄ，４ｅそれぞれとの間には、レンズカバーバネ６，７がかけられており、これらレンズカバーバネ６，７により、レンズカバー１，２は閉じる方向にバネ付勢されている。また、レンズカバー開閉リング３は光軸方向後方に延びるガイドバー３ｃを備えている。このガイドバー３ｃの一端にはガイドピン３ｄが形成されており、直進キーリング９の内壁には、そのガイドピン３ｄと係合する、光軸方向に延びる案内溝９ａが形成されている。この案内溝９ａは、レンズカバー開閉リング３の回動位置を、直進沈胴筒１０の繰出し時と沈胴時とでそれぞれ異なる位置に規制する溝である。この案内溝９ａは互いに異なる幅に形成されたレンズカバー閉案内部９ｂおよびレンズカバー開案内部９ｃを有しており、これら閉案内部９ｂおよび開案内部９ｃの途中はテーパ部９ｄで結ばれている。直進沈胴筒１０（図２参照）の沈胴時には、レンズカバー開閉リング３のガイドピン３ｄは、図３に示すように、レンズカバー閉案内部９ｂと係合している。ガイドピン３ｄがレンズカバー閉案内部９ｂ内に位置しているときは、レンズカバー開閉リング３には駆動バネ５に抗して矢印Ｂ方向の力が加えられ、レンズカバー１，２はレンズカバーバネ６、７の付勢力に従って閉じた状態となる。
【００１１】
このように、移動筒８および直進沈胴筒１０が双方とも固定カム筒１１内に沈胴した状態では、レンズカバー１，２は閉じた状態となる。
図４は、本発明の第１実施形態のカメラが備えているレンズ鏡胴の、移動筒および直進沈胴筒が繰出状態にあるときの光軸方向の縦断面図、図５は、そのレンズ鏡胴の要部を示す斜視図である。この図５において、レンズカバー開閉ベース、および直進キーリングは、いずれも破断されてその一部のみが示されている。図２に示すように、移動筒８および直進沈胴筒１０が沈胴した状態において、電動モータ５３（図１参照）が正回転し、その電動モータ５３の駆動力が沈胴駆動リング１２の駆動ギア１２ａに伝達されると、その沈胴駆動リング１２が光軸を中心として回転する。上述したように、その沈胴駆動リング１２の駆動溝１２ｂには移動筒８の連結ピン８ａが入り込んでおり、また、その移動筒８のカムピン８ｂが固定カム筒１１のカム溝１１ａに入り込んでいることから、その移動筒８は、その沈胴駆動リング１２が回転すると、固定カム筒１１のカム溝１１ａに案内されて、図４に示すように、撮影光軸のまわりに回転しながら繰り出される。移動筒８が繰り出されると、その移動筒８のカム溝８ｃに入り込んでいる直進沈胴筒１０のカムピン１０ａがそのカム溝８ｃに案内され、その直進沈胴筒１０が移動筒８に対しさらに前方に繰り出される。ここで、直進沈胴筒１０は直進キーリング９に対し回り止めされていることから、その直進沈胴筒１０は回転を伴わずに直線的に繰り出される。直進沈胴筒１０が移動筒８から繰り出されると、その直進沈胴筒１０内のレンズカバー開閉リング３が、図５に示すように、直進キーリング９に対し光軸方向前方に移動し、ガイドバー３ｃの一端に形成されたガイドピン３ｄがレンズカバー閉案内部９ｂから脱する。ところで、駆動バネ５の付勢力は２つのレンズカバーバネ６，７の付勢力よりも大きく設定されている。従って、ガイドピン３ｄが、レンズカバー閉案内部９ｂから脱してテーパ部９ｄに移動すると、そのガイドピン３ｄは、駆動バネ５の付勢力に従って、案内溝９ａの側壁面９ｅ，９ｆのうち、段付き形状の側壁面９ｅと摺動する。このとき、レンズカバー開閉リング３は矢印Ａ方向に回動しながら光軸方向前方に移動する。レンズカバー開閉リング３が矢印Ａ方向に回動することにより、そのレンズカバー開閉リング３の規制穴３ａ，３ｂそれぞれに嵌合している作用ピン１ｂ，２ｂが、レンズカバー１，２をレンズカバーバネ６，７に抗して回動させ、レンズカバー１，２は徐々に開いていく。レンズカバー開閉リング３がさらに光軸方向前方に移動し、ガイドピン３ｄが、図５に示すように、レンズカバー開案内部９ｃに到達すると、そのレンズカバー開閉リング３の回動が停止し、直進沈胴筒１０の繰出しが完了するともに、レンズカバー１，２の開動作が完了する。
【００１２】
一方、繰り出された移動筒８および直進沈胴筒１０を沈胴させるには、電動モータ５３を逆回転させればよい。これにより、上述した直進沈胴筒１０および移動筒８の光軸方向前方への繰出動作とは逆の動作が作用し、直進沈胴筒１０および移動筒８が光軸方向後方に移動する。このとき、レンズカバー開閉リング３のガイドピン３ｄがレンズカバー開案内部９ｃからテーパ部９ｄを経由してレンズカバー閉案内部９ｂに到達する。従って、レンズカバー開閉リング３が駆動バネ５に抗して矢印Ｂ方向に回動し、レンズカバー１，２が閉じる（図３参照）。
このように構成されたカメラ５０は、移動筒８内に配置された直進キーリング９が、レンズカバー開閉リング３の回動位置を規制する案内溝９ａを有していることから、その直進キーリング９は、直進沈胴筒１０を回り止めする役割りの他に、レンズカバー開閉リング３の回動位置を規制する役割りを兼ねている。従って、カメラ本体にレンズカバー開閉リング３の回動位置を規制するための部材を配置する必要がなく、カメラ本体に配置される部品の配置位置の自由度が広がり、従来のカメラよりも設計の自由度の広いカメラが得られる。
【００１３】
また、本実施形態のカメラは、レンズカバー開閉リング３のガイドピン３ｄが、移動筒８および直進沈胴筒１０の沈胴位置、繰出し位置、およびこれら沈胴位置と繰出し位置との間における途中位置の全位置において、案内溝９ａと常時係合状態を維持している。このように、レンズカバー開閉リング３のガイドピン３ｄが案内溝９ａと常時係合状態を維持しているので、レンズカバーをより安定的に確実に開閉させることができる。
また、上記のように、直進キーリング９がレンズカバー開閉リング３の回動位置を規制する役割りを兼ねているため、カメラ５０に、レンズカバー開閉リング３の回動位置を規制する専用の部材、およびその部品を配置するための専用のスペースは不要であり、カメラの省スペース化、低コスト化が図られる。
【００１４】
尚、この実施形態では、案内溝９ａ（例えば図５参照）の幅を二段にしており、案内溝９ａの一方の側端面９ｅは段付き形状であり、もう一方の側端面９ｆは直線形状である。ところで、レンズカバー開閉リング３のガイドピン３ｄは、案内溝９ａの側端面９ｅ，９ｆのうち側端面９ｅと摺動しながら、レンズカバー閉案内部９ｂとレンズカバー開案内部９ｃとの間を移動するのであって、もう一方の側端面９ｆの形状は、ガイドピン３ｄを移動には寄与しない。従って、本実施形態では案内溝９ａの幅が二段であるが、例えば、案内溝９ａの側端面９ｆを他方の側端面９ｅに沿うように形成し、案内溝の幅自体は同一幅にしてもよい。この場合、ガイドピン３ｄはその案内溝の形状に従って移動することになり、必ずしもレンズカバー開閉リングを駆動バネ５によりバネ付勢する必要はない。
また、この実施形態では、固定カム筒１１および移動筒８の内壁にヘリコイド形状のカム溝１１ａ，８ｃを形成し、移動筒８および直進沈胴筒１０のカムピン８ｂ，１０ａをそれぞれカム溝１１ａ，８ｃに入り込ませ、カメラ本体５２内部の電動モータ５３を正回転、逆回転させることで、移動筒８および直進沈胴筒１０の繰出し、沈胴を行なっているが、固定カム筒１１および移動筒８の内壁のカム溝を略Ｖ字形に形成し、移動筒８および直進沈胴筒１０のカムピン８ｂ，１０ａをその略Ｖ字形のカム溝に入り込ませ、電動モータ５３を一方向にのみ回転させてレンズ鏡胴の繰出し、沈胴を行なってもよい。
【００１５】
次に、本発明の第２実施形態のカメラについて説明する。
図６は、本発明の第２実施形態のカメラが備えているレンズ鏡胴の移動筒および直進沈胴筒が沈胴状態にあるときの、そのレンズ鏡胴の要部を示す斜視図、図７は、移動筒および直進沈胴筒が繰り出された状態にあるときの、レンズ鏡胴の要部を示す斜視図である。
尚、この第２実施形態のカメラの説明にあたっては、図６、図７とともに、必要に応じて図１〜図５を参照しながら、第１実施形態のカメラとの相違点のみについて説明する。その相違点は、以下の３点である。
（１）第２実施形態のカメラが備えているレンズカバー２１，２２の形状は、第１実施形態のカメラのレンズカバー１，２（例えば図３参照）の形状と鏡像関係をなしている。これにより、レンズカバー２１，２２はぞれぞれレンズカバーバネ６，７で開方向にバネ付勢されている。
（２）第２実施形態のカメラでは、図６に示すように、レンズカバー開閉リング３のバネかけ部３ｅは２つの規制穴３ａ，３ｂのうちの規制穴３ａ寄りに設けられており、駆動バネ５は、そのバネかけ部３ｅと、レンズカバー開閉ベース４のバネかけ部４ｃとの間に取り付けられている。この駆動バネ５はレンズカバー開閉リング３を矢印Ｂ方向にバネ付勢している。
（３）第２実施形態のカメラの直進キーリング２３に形成された案内溝２３ａは、第１実施形態のカメラの直進キーリング９に形成された案内溝９ａ（例えば図５参照）と光軸対称に形成されている。
このように構成された第２実施形態のカメラでは、図６に示すように、レンズカバー開閉リング３のガイドピン３ｄが、レンズカバー閉案内部２３ｂに係合しているときは、レンズカバー２１，２２はレンズカバーバネ６，７の付勢力に抗して閉じている。レンズカバー閉案内部２３ｂは、テーパ部２３ｄによりレンズカバー開案内部２３ｃと結ばれており、レンズカバー開閉リング３が前方に移動すると、レンズカバー開閉リング３が矢印Ｂ方向に回動し、図７に示すように、ガイドピン３ｄがレンズカバー開案内部２３ｃに入り込む。これにより、レンズカバー２１，２２はレンズカバーバネ６，７の付勢力に従って開く。
【００１６】
第１実施形態と第２実施形態とを比較すると、第１実施形態では、レンズカバー１，２はレンズカバーバネ６，７により閉じ方向に付勢されており、第２実施形態では、レンズカバー２１，２２はレンズカバーバネ６，７により開き方向に付勢されている。このように、本発明のカメラは、レンズカバーの付勢される方向を問うものではない。
尚、本発明のカメラは、上述した第１，第２実施形態のほかに、例えば、第１，第２実施形態のカメラから直進キーリングを省いて、直進沈胴筒を回転しながら光軸方向に移動する回転沈胴構造にするとともに、移動筒８内壁に、カム溝８ｃに加えて、レンズカバー閉案内部、テーパ部、およびレンズカバー開案内部を有する案内溝が形成された形態に構成してもよいし、レンズカバーが２分割された部材ではなく１つの部材からなる形態に構成してもよい。
【００１７】
【発明の効果】
以上説明したように、本発明によれば、設計の自由度の広いカメラが得られる。
【図面の簡単な説明】
【図１】本発明の第１実施形態のカメラを示す正面図である。
【図２】図１に示すカメラが備えているレンズ鏡胴の、移動筒および直進沈胴筒が沈胴状態にあるときの光軸方向の縦断面図である。
【図３】図１，図２に示すレンズ鏡胴の要部を示す斜視図である。
【図４】本発明の第１実施形態のカメラが備えているレンズ鏡胴の、移動筒および直進沈胴筒が繰出状態にあるときの光軸方向の縦断面図である。
【図５】図４に示すレンズ鏡胴の要部を示す斜視図である。
【図６】本発明の第２実施形態のカメラが備えているレンズ鏡胴の移動筒および直進沈胴筒が沈胴状態にあるときの、そのレンズ鏡胴の要部を示す斜視図である。
【図７】本発明の第２実施形態のカメラにおいて、移動筒および直進沈胴筒が繰り出された状態にあるときの、レンズ鏡胴の要部を示す斜視図である。
【符号の説明】
１，２，２１，２２  レンズカバー
１ａ，２ａ  回転軸穴
１ｂ，２ｂ  作用ピン
３    レンズカバー開閉リング
３ａ、３ｂ  規制穴
３ｃ  ガイドバー
３ｄ  ガイドピン
３ｅ  バネかけ部
４    レンズカバー開閉ベース
４ａ、４ｂ  レンズカバー支軸
４ｃ、４ｄ、４ｅ  バネ掛けピン
４ｆ  回動支軸
５    駆動バネ
６、７  レンズカバーバネ
８    移動筒
８ａ  連結ピン
８ｂ，１０ａ  カムピン
８ｃ，１１ａ  カム溝
９，２３    直進キーリング
９ａ，２３ａ  案内溝
９ｂ，２３ｂ  レンズカバー閉案内部
９ｃ，２３ｃ  レンズカバー開案内部
９ｄ，２３ｄ  テーパ部
９ｅ，９ｆ  側端面
９ｇ  直進キー
１０  直進沈胴筒
１１  固定カム筒
１１ｂ  キー溝
１２    沈胴駆動リング
１２ａ  駆動ギア
１２ｂ  駆動溝
１３    レンズ・シャッター組
１４    飾銘板
１４ａ  開口部
１５  鏡胴カバー
５０  カメラ
５１  シャッタボタン
５２  カメラ本体
５３  電動モータ
５４  レンズ鏡胴
【図１】
0003987642.tif 000002
【図２】
0003987642.tif 000003
【図３】
0003987642.tif 000004
【図４】
0003987642.tif 000005
【図５】
0003987642.tif 000006
【図６】
0003987642.tif 000007
【図７】
0003987642.tif 000008